(57)【要約】【課題】  排水ポンプの装着構造を改善することで、排水ポンプから外部ケース側に伝達される振動の減衰効果を従来よりも向上できる洗濯機を提供すること。【解決手段】  外部ケース１０と、前記外部ケース１０内に設置される水槽１１と、前記水槽１１の洗濯水を排水するための排水ポンプ３０と、前記排水ポンプ３０を固定する固定装置５０と、を備えており、前記固定装置５０は、前記排水ポンプ３０から延在する支持部材５１と、前記支持部材５１の外面を支持する防振部材５２、５３と、前記防振部材５２、５３の外面を支持して前記外部ケース１０の内面に固定される固定部材５４、５５と、を含んで洗濯機を構成する。【選択図】  図２
2006015122.tif 000002
【特許請求の範囲】
【請求項１】
外部ケースと、前記外部ケース内に設置される水槽と、前記水槽の洗濯水を排水するための排水ポンプと、前記排水ポンプを固定する固定装置と、を備えた洗濯機であって、
前記固定装置は、
前記排水ポンプから延在する支持部材と、
前記支持部材の外面を支持する防振部材と、
前記防振部材の外面を支持するとともに、前記外部ケースの内面に固定される固定部材と、を含むことを特徴とする洗濯機。
【請求項２】
前記防振部材は、前記支持部材の相反する側の外面をそれぞれ支持するように相互に対向して結合され、前記支持部材の外面を包囲する第１防振部材及び第２防振部材を含むことを特徴とする、請求項１記載の洗濯機。
【請求項３】
前記第１防振部材及び第２防振部材は、結束力を強化するために、相互に対向して結合される面にそれぞれ設けられる凹凸部を含むことを特徴とする、請求項２記載の洗濯機。
【請求項４】
前記第１及び第２防振部材と前記支持部材の外面との相互間の結合力を強化するために、前記第１及び第２防振部材には溝が形成され、前記支持部材の外面には突出リブが設けられることを特徴とする、請求項２記載の洗濯機。
【請求項５】
前記支持部材は、横断面が十字形状に形成され、前記第１及び第２防振部材には、前記支持部材の外面形状に対応する結合溝が形成されることを特徴とする、請求項２記載の洗濯機。
【請求項６】
前記防振部材は、複数個の通孔を備えることを特徴とする、請求項１記載の洗濯機。
【請求項７】
前記固定部材は、前記防振部材の両側外面をそれぞれ包囲する第１固定部材及び第２固定部材を含むことを特徴とする、請求項１記載の洗濯機。
【請求項８】
前記第１及び第２防振部材の相互結合方向と、前記第１及び第２固定部材の相互結合方向と、は交差することを特徴とする、請求項７記載の洗濯機。
【請求項９】
前記第１固定部材及び前記第２固定部材は、相互に接する部分を結束するための係止突起及び係止溝を含むことを特徴とする、請求項８記載の洗濯機。
【請求項１０】
前記第１及び第２固定部材は、前記支持部材をその内部に挿入するために上面に形成される挿入溝を含み、
前記挿入溝は、前記支持部材と離隔配置されることを特徴とする、請求項７記載の洗濯機。
【請求項１１】
前記固定装置は、
前記固定部材を前記外部ケースの内面に固定するために前記固定部材に設けられるねじ結合部と、
前記ねじ結合部に締結される固定ねじと、をさらに含むことを特徴とする、請求項１記載の洗濯機。
【請求項１２】
前記排水ポンプは、前記固定装置により固定される部分を除いた残りの部分が前記外部ケースから離隔配置されることを特徴とする、請求項１記載の洗濯機。
【請求項１３】
前記支持部材は、樹脂材料のモールド射出成形により前記排水ポンプと一体形成されることを特徴とする、請求項１記載の洗濯機。
【請求項１４】
前記防振部材は、弾性ゴム材料製であることを特徴とする、請求項１記載の洗濯機。
【請求項１５】
前記排水ポンプから延在する支持部材と、
前記支持部材の外面を支持する防振部材と、
前記防振部材の外面を支持して前記外部ケースの内面に固定される固定部材と、を含むことを特徴とする固定装置。
【請求項１６】
前記防振部材は、前記支持部材の相反する側の外面をそれぞれ支持するように相互に対向して結合され、前記支持部材の外面を包囲する第１防振部材及び第２防振部材を含むことを特徴とする、請求項１５記載の固定装置。
【請求項１７】
前記第１防振部材及び第２防振部材は、結束力を強化するために、相互に対向して結合される面にそれぞれ設けられる凹凸部を含むことを特徴とする、請求項１６記載の固定装置。
【請求項１８】
前記第１及び第２防振部材と前記支持部材の外面との相互間の結合力を強化するために、前記第１及び第２防振部材には溝が形成され、前記支持部材の外面には突出リブが設けられることを特徴とする、請求項１６記載の固定装置。
【請求項１９】
前記支持部材は、横断面が十字形状に形成され、前記第１及び第２防振部材には、前記支持部材の外面形状に対応する結合溝が形成されることを特徴とする、請求項１６記載の固定装置。
【請求項２０】
前記防振部材は、複数個の通孔を備えることを特徴とする、請求項１５記載の固定装置。
【請求項２１】
前記固定部材は、前記防振部材の両側外面をそれぞれ包囲する第１固定部材及び第２固定部材を含むことを特徴とする、請求項１５記載の固定装置。
【請求項２２】
前記第１及び第２防振部材の相互結合方向と、前記第１及び第２固定部材の相互結合方向と、は交差することを特徴とする、請求項２１記載の固定装置。
【請求項２３】
前記第１固定部材及び前記第２固定部材は、相互に接する部分を結束するための係止突起及び係止溝を含むことを特徴とする、請求項２２記載の固定装置。
【請求項２４】
前記第１及び第２固定部材は、前記支持部材をその内部に挿入するために上面に形成される挿入溝を含み、
前記挿入溝は、前記支持部材と離隔配置されることを特徴とする、請求項２１記載の固定装置。
【請求項２５】
前記固定装置は、
前記固定部材を固定するために前記固定部材に設けられるねじ結合部と、
前記ねじ結合部に締結される固定ねじと、をさらに含むことを特徴とする、請求項１５記載の固定装置。
【請求項２６】
前記支持部材は、樹脂材料のモールド射出成形により前記排水ポンプと一体形成されることを特徴とする、請求項１５記載の固定装置。
【請求項２７】
前記防振部材は、弾性ゴム材料製であることを特徴とする、請求項１５記載の固定装置。
【発明の詳細な説明】
【技術分野】
【０００１】
本発明は、洗濯機に関するもので、詳しくは、排水ポンプから外部ケース側に伝達される振動を防止できる洗濯機に関する。
【背景技術】
【０００２】
一般に、洗濯機は、洗濯水を収容するための水槽と、この水槽の内部に回転自在に設置され、その周りに脱水のための通孔が形成された回転槽と、この回転槽を駆動するための駆動装置と、を備えている。また、洗濯機は、水槽の内部に洗濯水を供給するための給水装置と、水槽の水を排水するための排水装置と、を含む。
【０００３】
この洗濯機において、水槽の洗濯水を強制的に排出する排水装置は、通常、インペラーを内蔵したポンプケーシング及び駆動モーターを備えた排水ポンプと、この排水ポンプ側に流入される洗濯水の異物質を濾過する排水フィルターと、洗濯水の排出を案内するための排水管と、を含む。また、この洗濯機の排水ポンプは、外部ケースの内側底に固定される。
【０００４】
しかしながら、前記洗濯機は、排水ポンプの支持部が固定ボルトの締結などにより洗濯機の外部ケースの底面に、直接、固定される構造であるため、排水ポンプの動作による振動が外部ケースの底面を通じて外部に伝達されることで、動作騷音が発生するという問題があった。
【０００５】
前記のような排水ポンプの動作騷音を解消するための従来の洗濯機としては、特許文献１(公告日:２０００年１月１５日)に開示されたものがある。この洗濯機においては、排水ポンプを支持するブラケットと洗濯機のフレームとの間に振動を減衰するためのダンパー部材が介在しており、ブラケット及びダンパー部材は、洗濯機のフレームを貫通する固定ボルトによって固定される。
【０００６】
前記排水ポンプの装着構造によると、排水ポンプの振動がダンパー部材により多少減少するが、依然として、排水ポンプを支持するブラケットの振動が固定ボルトを通じて洗濯機のフレーム側に伝達されるため、振動の減衰効果が満足できる程ではなかった。
【特許文献１】大韓民国登録特許公報１０−０２３８９７０号
【発明の開示】
【発明が解決しようとする課題】
【０００７】
本発明は、前記問題点を解決するためになされたもので、排水ポンプの装着構造を改善することで、排水ポンプから外部ケース側に伝達される振動の減衰効果を従来よりも向上できる洗濯機を提供することを目的とする。
【課題を解決するための手段】
【０００８】
前記目的を達成するために、本発明による洗濯機は、外部ケースと、前記外部ケース内に設置される水槽と、前記水槽の洗濯水を排水するための排水ポンプと、前記排水ポンプを固定する固定装置と、を備えており、前記固定装置は、前記排水ポンプから延在する支持部材と、前記支持部材の外面を支持する防振部材と、前記防振部材の外面を支持して前記外部ケースの内面に固定される固定部材と、を含むことを特徴とする。
【０００９】
また、前記防振部材は、前記支持部材の相反する側の外面をそれぞれ支持するように相互対向して結合され、前記支持部材の外面を包囲する第１防振部材及び第２防振部材を含むことを特徴とする。
【００１０】
また、前記第１防振部材及び第２防振部材は、結束力を強化するために、相互に対向して結合される面にそれぞれ設けられる凹凸部を含むことを特徴とする。
【００１１】
また、前記第１及び第２防振部材と前記支持部材の外面との相互間の結合力を強化するために、前記第１及び第２防振部材には溝が形成され、前記支持部材の外面には突出リブが設けられることを特徴とする。
【００１２】
また、前記支持部材は、横断面が十字形状に形成され、前記第１及び第２防振部材には、前記支持部材の外面形状に対応する結合溝が形成されることを特徴とする。
【００１３】
また、前記防振部材は、複数個の通孔を備えることを特徴とする。
【００１４】
また、前記固定部材は、前記防振部材の両側外面をそれぞれ包囲する第１固定部材及び第２固定部材を含むことを特徴とする。
【００１５】
また、前記第１及び第２防振部材の相互結合方向と、前記第１及び第２固定部材の相互結合方向と、は交差することを特徴とする。
【００１６】
また、前記第１固定部材及び前記第２固定部材は、相互に接する部分を結束するための係止突起及び係止溝を含むことを特徴とする。
【００１７】
また、前記第１及び第２固定部材は、前記支持部材をその内部に挿入するために上面に形成される挿入溝を含み、前記挿入溝は、前記支持部材と離隔配置されることを特徴とする。
【００１８】
また、前記固定装置は、前記固定部材を前記外部ケースの内面に固定するために前記固定部材に設けられるねじ結合部と、前記ねじ結合部に締結される固定ねじと、をさらに含むことを特徴とする。
【００１９】
また、前記排水ポンプは、前記固定装置により固定される部分を除いた残りの部分が前記外部ケースと離隔配置されることを特徴とする。
【００２０】
また、前記固定装置は、前記ポンプから延在する支持部材と、前記支持部材の外面を支持する防振部材と、前記防振部材の外面を支持するとともに、前記外部ケースの内面に固定される固定部材と、を含むことを特徴とする。
【発明の効果】
【００２１】
本発明による洗濯機は、排水ポンプを支持部材のみによって支持し、支持部材を防振部材のみによって支持し、固定部材が支持部材と離隔配置された状態で防振部材のみを支持する構造であるため、排水ポンプから外部ケース側に伝達される振動の減衰効果が従来よりも著しく向上し、洗濯機の動作騷音を減少できるという効果がある。
【発明を実施するための最良の形態】
【００２２】
以下、本発明の実施の形態を図面に基づいて説明する。本発明は、パルセーター型洗濯機及びドラム型洗濯機の全てに適用されるが、説明の便宜のために、ドラム型洗濯機のみを例示して説明する。
【００２３】
本発明による洗濯機は、図１に示すように、洗濯水を収容するために外部ケース１０内に設置されるドラム型水槽１１と、この水槽１１の内部に回転自在に設置される回転ドラム１２と、水槽１１内部の回転ドラム１２を回転するために水槽１１の下部に設置される駆動モーター１３と、を備えている。また、この洗濯機は、水槽１１の上部に設置されて水槽１１に洗濯水を供給するための給水装置１４と、給水過程で洗剤を供給するための洗剤供給装置１５と、水槽１１の下部に設置されて水槽１１の洗濯水を外部に強制的に排出するための排水装置２０と、を含んでいる。
【００２４】
これら外部ケース１０、水槽１１及び回転ドラム１２の各前面には、回転ドラム１２の内部に洗濯物を投入するか取り出すための開放部が形成され、外部ケース１０の前面には、この開放部を開閉するためのドア１６が設置される。
【００２５】
水槽１１内部の回転ドラム１２は、図示してないが、その背面中心部に結合される回転軸が水槽１１の背面中心部に回転自在に支持されることで、水槽１１の内部で回転可能になる。また、水槽１１の後部に延在する回転軸にはプーリが結合され、このプーリと駆動モーター１３の回転軸に結合されるプーリとがベルト１７により連結される。したがって、駆動モーター１３の回転により回転ドラム１２の回転が行われる。また、回転ドラム１２は、その周りに形成される複数個の通孔と、回転時に洗濯物を上昇及び落下させるために、その内面に設置される複数個のリフター１２ａと、を備えている。
【００２６】
洗剤供給装置１５は、外部ケース１０の前面側に設置される洗剤ケース１５ａと、外部ケース１０の前方から洗剤ケース１５ａの内部に挿入されるように引出し状に装着される洗剤容器１５ｂと、を含む。よって、使用者は、洗剤容器１５ｂを前方に引き出した後、洗剤容器１５ｂ内に洗剤を投入するようになる。
【００２７】
給水装置１４は、外部給水管１４ａと洗剤ケース１５ａの後面との間を連結する第１給水管１４ｂと、洗剤ケース１５ａと水槽１１との間を連結する第２給水管１４ｃと、給水を制御するために第１給水管１４ｂの入口側に設置される給水バルブ１４ｄと、を含んでいる。よって、給水バルブ１４ｄの開放により給水が行われるとき、給水される水が洗剤供給装置１５を経由して水槽１１に供給されることで、洗剤供給装置１５に投入された洗剤及び給水される水が一緒に水槽１１に供給される。
【００２８】
水槽１１下部の排水装置２０は、水槽１１の洗濯水を外部に強制的に排出する排水ポンプ３０と、水槽１１と排水ポンプ３０との間を連結する第１排水管２１と、排水ポンプ３０から外部ケース１０の外側に延在する第２排水管２２と、を含んでいる。
【００２９】
排水ポンプ３０は、図２及び図３に示すように、フィルター室３２を形成するフィルターケース部３１と、ポンプ室３４を形成するポンプケース部３３と、が一体形成される排水ケーシング３５を備えている。このとき、フィルター室３２及びポンプ室３４は、相互に区画された空間を画成する。また、排水ポンプ３０は、フィルター室３２内に収容され、排水される洗濯水の異物質を濾過するフィルター３６と、ポンプ室３４内に回転自在に設置されるインペラー３７と、このインペラー３７を駆動するためにポンプケース部３３の一側に装着されるモーター３８と、を含む。また、この排水ポンプ３０は、固定装置５０により外部ケース１０の内側底面１０ｂに固定される。
【００３０】
排水ケーシング３５のフィルターケース部３１には、一側上部に排水される洗濯水を流入するための入口３９が形成され、この入口３９には、第１排水管２１と連結するための入口管４０が設けられる。また、フィルターケース部３１の入口３９の反対側下部には、フィルター室３２内部の洗濯水がポンプ室３４に流れるように、ポンプ室３４の内部と連通する出口４１が形成される。
【００３１】
また、フィルターケース部３１には、フィルター室３２内に装着されるフィルター３６を着脱するための開口３１ａが形成され、フィルター３６の一端部には、フィルター室３２内にフィルター３６を装着するのに使用される栓４２が設けられるが、この栓４２は、フィルター室３２の開口３１ａを閉鎖するのにも使用される。すなわち、栓４２の外周部及びフィルターケース部３１の開口３１ａの内面には、相互に締結されるねじ山４２ａ，３１ｂが形成され、栓４２は、フィルター３６の一端に回動自在に結合される。よって、フィルター３６をフィルター室３２内に挿入した後、栓４２を回動して締結することで、フィルターケース部３１の開口３１ａを閉鎖できる。
【００３２】
また、フィルターケース部３１は、図４に示すように、使用者が外部ケース１０の外側からフィルター３６を分離して洗浄可能にするように、フィルターケース部３１の開口３１ａ及び栓４２が外部ケース１０の開口１０ｃを通して外部に露出する。このとき、栓４２を露出するための外部ケース１０の開口１０ｃは、フィルターケース部３１よりも大きく形成されることで、フィルターケース部３１と外部ケース１０とが離隔配置される。よって、排水ポンプ３０の動作により振動が発生した場合も、この振動が外部ケース１０側に伝達されない。
【００３３】
ポンプ室３４を形成するポンプケース部３３は、図３に示すように、モーター３８の装着側が開放されるが、この開放部は、モーター３８の装着により閉鎖される。また、ポンプ室３４の周りには、インペラー３７の駆動時、その内部の洗濯水を外部に排出するための出口４３が形成され、この出口４３には、第２排水管２２に連結される出口管４４が設けられる。
【００３４】
このような排水ポンプ３０の構成によると、水槽１１からフィルター室３２内に流入される洗濯水は、フィルター室３２内部のフィルター３６を通過しながら異物質が濾過された後、ポンプ室３４側に流れるようになり、モーター３８により回転するインペラー３７がポンプ室３４内部の洗濯水をポンプ室３４の出口４３側に排出することで、水槽１１の洗濯水を外部に排水する。
【００３５】
この排水ポンプ３０を外部ケース１０の底面１０ｂに固定する固定装置５０は、排水ケーシング３５の下面から所定長さだけ下方に延在する支持部材５１と、この支持部材５１の下側外部を包囲するように支持する防振部材５２，５３と、それら防振部材５２，５３の外面を包囲して支持した状態で、外部ケース１０の底面１０ｂに固定される固定部材５４，５５と、を含んでいる。
【００３６】
支持部材５１は、通常の樹脂材料のモールド射出成形により排水ケーシング３５と一体形成され、振動を減少しながら安定して支持するように、排水ポンプ３０の重心に該当する排水ケーシング３５の下面から下向きに延在する。また、支持部材５１は、排水ポンプ３０を支持するのに十分な剛性を有するとともに、防振部材５２，５３との結合時、揺動することなく堅固に結合されるように横断面が十字形状に形成される。
【００３７】
防振部材は、弾性ゴム材料により構成され、支持部材５１の相反する両側外面をそれぞれ支持するように相互に対向して結合される第１防振部材５２及び第２防振部材５３を含んでいる。また、第１及び第２防振部材５２，５３は、それらを結合するとき、支持部材５１の下部外面を完全に包囲するように、その幅が支持部材５１の最大幅よりも大きく設けられ、相互に対向して結合される周り部分には、結合力を強化するための凹凸部５２ａ，５３ａが設けられる。また、第１防振部材５２及び第２防振部材５３には、横断面が十字形状を有する支持部材５１の外面を密着支持するように、支持部材５１の外面形状に対応する結合溝５２ｂ，５３ｂが形成される。よって、支持部材５１は、第１及び第２防振部材５２，５３により安定して支持される。
【００３８】
また、第１及び第２防振部材５２，５３と支持部材５１の下部外面との相互間の結束力を強化するために、支持部材５１の外面には突出リブ５１ａが設けられ、この突出リブ５１ａとの結合をなすように、第１及び第２防振部材５２，５３の結合溝５２ｂ，５３ｂの内面には溝５３ｄが形成される。また、第１及び第２防振部材５２，５３は、支持部材５１に伝達される振動の減衰効果を上昇するための複数個の通孔５２ｃ，５３ｃを備える。よって、防振部材５２，５３の振動減衰効果が上昇する。
【００３９】
固定部材は、第１及び第２防振部材５２，５３の両側外面をそれぞれ包囲するように支持する第１固定部材５４及び第２固定部材５５を含む。すなわち、第１及び第２固定部材５４，５５は、第１及び第２防振部材５２，５３の四方周り及び上面を支持するように、第１及び第２防振部材５２，５３の両側から第１及び第２防振部材５２，５３の外面に密着結合される。また、第１及び第２固定部材５２，５３が接する部分には、相互間を結束するための係止突起５４ａ，５５ａ及び係止溝５４ｂ，５５ｂが形成される。また、これら第１及び第２固定部材５４，５５は、ねじ結合部５４ｄ，５４ｅ，５５ｄに固定ねじ５６が締結されることで、外部ケース１０の内側底面１０ｂに固定される。このとき、第１及び第２防振部材５２，５３の結合方向と、第１及び第２固定部材５４，５５の結合方向と、が交差することで、第１及び第２固定部材５４，５５により第１及び第２防振部材５２，５３の結束が一層堅固になる。
【００４０】
また、第１固定部材５４及び第２固定部材５５は、支持部材５１と絶縁されるように上面部分が支持部材５１から離隔配置される。すなわち、第１及び第２固定部材５４，５５の上面に形成される支持部材５１の挿入溝５４ｃ，５５ｃが支持部材５１と離隔配置される。よって、排水ポンプ３０から支持部材５１に伝達される振動が第１及び第２固定部材５４，５５側に伝達されなくなり、排水ポンプ３０の振動が外部ケース１０側に伝達されなくなる。
【００４１】
このような固定装置５０により排水ポンプ３０を固定するとき、支持部材５１の下部両側に第１及び第２防振部材５２，５３を結合し、第１及び第２防振部材５２，５３の結合方向との交差方向に第１及び第２固定部材５４，５５を結合して相互に結束した後、最終的に、固定ねじ５６の締結により第１及び第２固定部材５４，５５を外部ケース１０の底面１０ｂに固定する。
【００４２】
前記のように排水ポンプ３０が設置されると、固定装置５０により固定される部分を除いた排水ポンプ３０の全ての部分が外部ケース１０と離隔配置されるので、排水ポンプ３０から外部ケース１０側に伝達される振動を最小化することができる。また、この排水ポンプ３０の固定構造は、支持部材５１と第１及び第２固定部材５４，５５とが防振部材５２，５３を介して離隔配置された状態であり、支持部材５１が第１及び第２防振部材５２，５３のみによって支持されるため、支持部材５１に伝達される排水ポンプ３０の振動がほとんど減衰される。よって、排水ポンプ３０の振動による外部ケース１０の振動を最小化することで、洗濯機の動作騷音が減少する。
【図面の簡単な説明】
【００４３】
【図１】本発明による洗濯機の構成を示す斜視図である。
【図２】本発明による洗濯機の排水ポンプ及び排水ポンプを固定するための固定装置の構成を示す分解斜視図である。
【図３】図２のＩＩＩ−ＩＩＩ′線で切断した断面図である。
【図４】本発明による排水ポンプのフィルターケース部の設置構造を示す斜視図である。
【符号の説明】
【００４４】
１０  外部ケース
１０ｂ  底面
１０ｃ  開口
１１  水槽
１２  回転ドラム
１２ａ  リフター
１３  駆動モーター
１４  給水装置
１４ａ  外部給水管
１４ｂ  第１給水管
１４ｃ  第２給水管
１４ｄ  給水バルブ
１５  洗剤供給装置
１５ａ  洗剤ケース
１５ｂ  洗剤容器
１６  ドア
１７  ベルト
２０  排水装置
２１  第１排水管
２２  第２排水管
３０  排水ポンプ
３１  フィルターケース部
３１ａ  開口
３１ｂ  ねじ山
３２  フィルター室
３３  ポンプケース室
３４  ポンプ室
３５  排水ケーシング
３６  フィルター
３７  インペラー
３８  モーター
３９  入口
４０  入口管
４１  出口
４２  栓
４２ａ  ねじ山
４３  出口
４４  出口管
５０  固定装置
５１  支持部材
５１ａ  突出リブ
５２  防振部材
５２ａ、５３ａ  凹凸部
５２ｂ、５３ｂ  結合溝
５３  防振部材
５２ｃ、５３ｃ  通孔
５４  第１固定部材
５４ａ、５５ａ  係止突起
５４ｂ、５５ｂ  係止溝
５４ｃ、５５ｃ  挿入溝
５４ｄ、５４ｅ、５５ｄ  ねじ結合部
５５  第２固定部材
５６  固定ねじ
【図１】
2006015122.tif 000003
【図２】
2006015122.tif 000004
【図３】
2006015122.tif 000005
【図４】
2006015122.tif 000006